(57)【要約】【課題】カメラボディ内やレンズ装着部を水滴から保護すること。【解決手段】カメラボディ１は、交換レンズ２を装着するレンズ装着部１２と、交換レンズ２の未装着時にレンズ装着部１２への異物侵入を阻止する空気を吹き出す吹き出し孔１０ａと、吹き出し孔１０ａからの空気の吹き出しをオン／オフさせる空気吹き出し制御部と、を備える。【選択図】図１
2014109713.tif 000002
【特許請求の範囲】
【請求項１】
交換レンズを装着するレンズ装着部と、
前記交換レンズの未装着時に前記レンズ装着部への異物侵入を阻止する空気を吹き出す吹き出し孔と、
前記吹き出し孔からの空気の吹き出しをオン／オフさせる空気吹き出し制御部と、
を備えることを特徴とするカメラボディ。
【請求項２】
請求項１に記載のカメラボディにおいて、
前記空気吹き出し制御部は、前記交換レンズの取り外し用の操作部材が操作された状態で前記空気の吹き出しをオンさせ、前記操作部材の操作状態が解除されると前記空気の吹き出しをオフさせることを特徴とするカメラボディ。
【請求項３】
請求項２に記載のカメラボディにおいて、
前記カメラボディを振動させる振動部材と、
前記操作部材が操作された状態で前記振動部材による振動をオンさせ、前記操作部材の操作状態が解除されると前記振動部材による振動をオフさせる振動制御部と、
をさらに備えることを特徴とするカメラボディ。
【請求項４】
請求項３に記載のカメラボディにおいて、
未装着の前記交換レンズとの間の距離を検出する距離検出部をさらに備え、
前記振動制御部は、前記距離検出部により検出された距離が第１距離より短くなると前記振動部材による振動をオンさせ、前記検出された距離が前記第１距離より短い第２距離より短くなると前記振動部材による振動をオフさせることを特徴とするカメラボディ。
【請求項５】
請求項１〜４のいずれか一項に記載のカメラボディにおいて、
前記空気吹き出し制御部はさらに、レリーズボタンが半押し操作されると前記空気の吹き出しをオンさせ、前記半押し操作の解除後所定時間が経過すると前記空気の吹き出しをオフさせることを特徴とするカメラボディ。
【請求項６】
請求項１〜５のいずれか一項に記載のカメラボディにおいて、
前記交換レンズが前記レンズ装着部に装着されている時、前記吹き出し孔から前記交換レンズへ空気を供給することを特徴とするカメラボディ。
【請求項７】
カメラボディのレンズ装着部と嵌合する装着部材と、
レンズ面に向けて空気を吹き出す空気吹き出し孔と、
前記カメラボディから供給される空気を前記吹き出し孔へ導く流路と、
を備えることを特徴とする交換レンズ。
【請求項８】
請求項７に記載の交換レンズにおいて、
前記交換レンズを振動させる振動部材をさらに備えることを特徴とする交換レンズ。
【請求項９】
交換レンズのレンズ面に向けて空気を吹き出す空気吹き出し孔と、
送風部材と、
前記送風部材からの空気を前記吹き出し孔へ導く流路と、
を備えることを特徴とするレンズフード。
【発明の詳細な説明】
【技術分野】
【０００１】
本発明は、カメラボディ、交換レンズ、およびレンズフードに関する。
【背景技術】
【０００２】
降雨などで湿度が高いときに、交換レンズをカメラボディから取り外せないようにするカメラが知られている（特許文献１参照）。
【先行技術文献】
【特許文献】
【０００３】
【特許文献１】特開平５−３３３４１３号公報
【発明の概要】
【発明が解決しようとする課題】
【０００４】
従来技術では、交換レンズを外している場合の水滴などに対処できなかった。
【課題を解決するための手段】
【０００５】
本発明によるカメラボディは、交換レンズを装着するレンズ装着部と、交換レンズの未装着時にレンズ装着部への異物侵入を阻止する空気を吹き出す吹き出し孔と、吹き出し孔からの空気の吹き出しをオン／オフさせる空気吹き出し制御部と、を備えることを特徴とする。
本発明による交換レンズは、カメラボディのレンズ装着部と嵌合する装着部材と、レンズ面に向けて空気を吹き出す空気吹き出し孔と、カメラボディから供給される空気を吹き出し孔へ導く流路と、を備えることを特徴とする。
本発明によるレンズフードは、交換レンズのレンズ面に向けて空気を吹き出す空気吹き出し孔と、送風部材と、送風部材からの空気を吹き出し孔へ導く流路と、を備えることを特徴とする。
【発明の効果】
【０００６】
本発明によれば、カメラボディまたはレンズを水滴などから保護できる。
【図面の簡単な説明】
【０００７】
【図１】図１(a)はカメラボディの側面図、図１(b)はカメラボディの正面図である。
【図２】交換レンズの側面図である。
【図３】図３(a)は交換レンズを装着したカメラボディの側面図、図３(b)は交換レンズを装着したカメラボディの正面図である。
【図４】カメラシステムの要部構成を例示するブロック図である。
【図５】制御回路が防水モード時に行う処理の流れを説明するフローチャートである。
【図６】レンズフードの側面図である。
【図７】第二の実施形態による制御回路が防水モード時に行う処理の流れを説明するフローチャートである。
【発明を実施するための形態】
【０００８】
以下、図面を参照して本発明を実施するための形態について説明する。本実施形態によるレンズ交換式カメラシステムは、交換レンズが装着されていないカメラボディのレンズ装着部を雨滴から保護したり、交換レンズのレンズ面を雨滴から保護したりする。
【０００９】
（第一の実施形態）
図１は、本発明の第一の実施形態によるカメラボディ１を説明する図である。図１(a)はカメラボディ１の側面図、図１(b)はカメラボディ１の正面図である。カメラボディ１の正面には、後述する交換レンズ２（図２）側のマウント２２と嵌合するマウント１２が設けられている。接点群１３は、カメラボディ１が装着された交換レンズ２との間で通信を行うための通信用接点である。
【００１０】
撮像素子１０２は、交換レンズ２によって結像された被写体像を撮像する。カメラボディ１は、マウント１２に交換レンズ２も保護用キャップも装着されていない状態で、撮像素子１０２や接点群１３などに水滴がつくのを防ぐため、エアカーテン機構を備える。エアカーテンは、カメラボディ１の正面の吸気口１１から取り込んだ空気をマウント１２内の上部に設けた吹き出し孔１０ａから下部へ吹き出す。本実施形態では、カメラボディ１の内部に設けたファン１０７を回転させることにより、空気をカメラボディ１内の流路１０へ導き、吹き出し孔１０ａから吹き出す。吹き出し孔１０ａから空気を吹き出す方向は、水滴や埃などをカメラボディ１内へ侵入させない向きである。なお、吸気口１１には、水滴を通さずに通気するフィルタを設けている。
【００１１】
カメラボディ１は、底部に振動発生器１０８を内蔵しており、例えばレンズ交換時において振動を発生させる。この振動により、仮に撮像素子１０２や接点群１３に水滴がついたとしても、これをふるい落とす。
【００１２】
レンズロック解除ボタン１４は、カメラボディ１から交換レンズ２を取り外す際に押下される。レンズロック解除ボタン１４が押下されると、カメラボディ１内の図示しないロック機構がマウントロックを解除する。これにより、交換レンズ２を取り外すための交換レンズ２の回転操作が可能になる。
【００１３】
図２は、本発明の一実施の形態による交換レンズ２の側面図である。交換レンズ２には、カメラボディ１のマウント１２と嵌合するマウント２２が設けられている。また、鏡胴内には、カメラボディ１へ装着された状態でカメラボディ１の吹き出し孔１０ａからの空気を受けて鏡胴の先端部へ導く流路２０が設けられている。なお、撮影光学系２１は複数のレンズ群によって構成されるが、図２においては単レンズとして図示している。
【００１４】
交換レンズ２は、振動発生器２０８、および図示しない振動オン／オフスイッチを有しており、図示しない電池が装填される。振動発生器２０８は、振動オン／オフスイッチ操作に応じて振動を発生／停止する。カメラボディ１へ装着する前において、仮に、交換レンズ２の撮影光学系２１に水滴がついた場合には、振動発生器２０８による振動で水滴をふるい落とす。
【００１５】
図３(a)は交換レンズ２を装着したカメラボディ１の側面図、図３(b)は交換レンズ２を装着したカメラボディ１の正面図である。交換レンズ２をカメラボディ１へ装着後は、カメラボディ１の正面の吸気口１１から取り込んだ空気が、カメラボディ１内の流路１０および交換レンズ２内の流路２０を通って鏡胴の先端部の吹き出し孔２０ａから吹き出す。吹き出し孔２０ａから空気を吹き出す方向は、撮影光学系２１の表面についた水滴や埃などを吹き飛ばす向きである。
【００１６】
上述したカメラシステムの要部構成について図４に例示するブロック図を参照して説明する。図４において、カメラボディ１は、操作部材１０１と、撮像素子１０２と、レンズ装着検出部１０３と、記録再生部１０４と、制御回路１０５と、モニタ１０６と、ファン１０７と、振動発生器１０８と、通信回路１０９と、距離検出部１１０とを含み、図示しない電池が装填される。
【００１７】
操作部材１０１は、使用者によって操作される種々の入力部材、例えば電源スイッチ、レリーズボタン、メニューボタン、レンズロック解除ボタン１４などを含む。撮像素子１０２は、ＣＭＯＳイメージセンサなどによって構成される。
【００１８】
レンズ装着検出部１０３は、例えばレンズロック解除ボタン１４の操作状態に基づいて交換レンズ２の装着の有無を判定する。なお、後述する通信回路１０９による交換レンズ２との間の通信の成否に基づいて交換レンズ２の装着の有無を判定してもよい。
【００１９】
記録再生部１０４は、制御回路１０５からの指示に基づいて画像ファイルをメモリカード５０に記録し、また、メモリカード５０に記録されている画像ファイルを読出す。メモリカード５０は、図示しないカードスロットに着脱自在に取り付けられる記録媒体である。制御回路１０５は、メモリ、およびその他の周辺回路によって構成され、カメラボディ１が行う撮影動作を制御する。
【００２０】
モニタ１０６は、カメラボディ１の背面に搭載された液晶モニタである。当該モニタ１０６には、メモリカード５０に記録されている画像ファイルに基づく再生画像や、カメラボディ１の機能を設定するための設定メニューなどが表示される。
【００２１】
ファン１０７は、上述したエアカーテン機構を構成する。ファン１０７のオン／オフは、制御回路１０５によって制御される。振動発生器１０８は、上述したように水滴をふるい落とすための振動を発生する。振動発生器１０８のオン／オフは、制御回路１０５によって制御される。
【００２２】
通信回路１０９は、上記接点群１３を介して交換レンズ２側の通信回路２０９との間で通信を行う。通信内容は、例えば、交換レンズ２側の制御回路２１０に対する制御信号などである。距離検出部１１０は、電波式の距離センサである。本実施形態では、交換レンズ２をカメラボディ１へ装着する前に、カメラボディ１と交換レンズ２との間の距離を少なくとも２段階（例えば、５cmと５mm）に検出する。
【００２３】
交換レンズ２は、制御回路２１０と、通信回路２０９と、振動発生器２０８とを含む。通信回路２０９は、カメラボディ１側の通信回路１０９との間で通信を行う。制御回路２１０は、カメラボディ１からの指示に基づいて、撮影光学系２１（図２）を構成する図示しないフォーカシングレンズや絞りの駆動を制御する。振動発生器２０８は、撮影光学系２１に付着した水滴をふるい落とすための振動を発生する。本実施形態においては、交換レンズ２における振動発生器２０８のオン／オフは、振動オン／オフスイッチの操作に基づく。
【００２４】
以上説明したカメラシステムにおいて、カメラボディ１の制御回路１０５がレンズやカメラボディを水滴から保護するために行う処理の流れについて、図５のフローチャートを参照して説明する。制御回路１０５は、「防水モード」がオンされると図５による処理を起動する。「防水モード」は、例えば操作部材１０１を構成する「防水モード」設定／解除スイッチからの操作信号に応じて「防水モード」の設定／解除を切り替える。なお、設定メニューの中に「防水モード」の項目を含めて、「防水モード」を設定／解除するように構成してもよい。
【００２５】
図５のステップＳ１１において、制御回路１０５は、レンズロック解除ボタン１４が押下されたか否かを判定する、制御回路１０５は、レンズロック解除ボタン１４が操作された場合にステップＳ１１を肯定判定してステップＳ１２へ進み、レンズロック解除ボタン１４が操作されていない場合には、ステップＳ１１を否定判定してステップＳ１７へ進む。
【００２６】
ステップＳ１２において、制御回路１０５はエアカーテンの送風を開始させるため、ファン１０７の回転を開始させてステップＳ１３へ進む。ステップＳ１３において、制御回路１０５は、振動発生器１０８によって振動を発生させる。制御回路１０５は、カメラボディ１の振動発生を開始させるとステップＳ１４へ進む。
【００２７】
ステップＳ１４において、制御回路１０５はレンズロック解除ボタン１４が復帰したか否かを判定する、制御回路１０５は、レンズロック解除ボタン１４が復帰した場合にステップＳ１４を肯定判定してステップＳ１５へ進み、レンズロック解除ボタン１４が復帰していない場合には、ステップＳ１４を否定判定してステップＳ２２へ進む。
【００２８】
ステップＳ１５へ進む場合は、交換レンズ２が装着された場合である。交換レンズ２が装着された以降は、撮像素子１０２や接点群１３に水滴がつくおそれがない。このため、制御回路１０５はファン１０７の回転を停止させてステップＳ１６へ進む。さらにステップＳ１６において、制御回路１０５は、振動発生器１０８による振動を停止させてステップＳ１７へ進む。
【００２９】
本実施形態では、レリーズボタンが半押し操作された場合を撮影または撮影準備中と判断し、撮影光学系２１に水滴がつくのを防止するためにエアカーテンの送風を行う。このために制御回路１０５は、ステップＳ１７において、レリーズボタンが半押し操作されたか否かを判定する。制御回路１０５は、レリーズボタンが半押し操作された場合にステップＳ１７を肯定判定してステップＳ１８へ進み、レリーズボタンが半押し操作されない場合には、ステップＳ１７を否定判定してステップＳ２１へ進む。
【００３０】
ステップＳ１８において、制御回路１０５は、ファン１０７の回転を開始させてステップＳ１９へ進む。本実施形態では、半押し操作後、所定時間が経過するまでを撮影または撮影準備中と判断する。そこで制御回路１０５は、ステップＳ１９において、レリーズボタンが半押し操作されてから所定時間（例えば５秒）が経過したか否かを判定する。制御回路１０５は、所定時間が経過するとステップＳ１９を肯定判定してステップＳ２０へ進み、所定時間が経過しない場合には、ステップＳ１９を否定判定してステップＳ２５へ進む。
【００３１】
ステップＳ２０において、制御回路１０５は、ファン１０７の回転を停止させてステップＳ２１へ進む。ステップＳ２１において、制御回路１０５は、「防水モード」がオフされたか否かを判定する。制御回路１０５は、「防水モード」がオフされた場合にステップＳ２１を肯定判定して図５による処理を終了する。制御回路１０５は、「防水モード」がオフされていない場合にはステップＳ２１を否定判定し、ステップＳ１１へ戻る。ステップＳ１１へ戻る場合の制御回路１０５は、上述した処理を繰り返す。
【００３２】
上述したステップＳ１４を否定判定してステップＳ２２へ進む場合は、レンズロック解除ボタン１４が押下されたままの場合である。この場合の制御回路１０５は、「防水モード」が継続されていることを条件にステップＳ１４へ戻り、レンズロック解除ボタン１４の復帰を待つ。このために制御回路１０５は、ステップＳ２２において「防水モード」がオフされたか否かを判定する。制御回路１０５は、「防水モード」がオフされた場合にステップＳ２２を肯定判定してステップＳ２３へ進む。制御回路１０５は、「防水モード」がオフされていない場合にはステップＳ２２を否定判定し、ステップＳ１４へ戻る。
【００３３】
ステップＳ２３において、制御回路１０５はファン１０７の回転を停止させる。さらにステップＳ２４において、制御回路１０５は、振動発生器１０８による振動を停止させて図５による処理を終了する。
【００３４】
制御回路１０５は、半押し操作後に所定時間が経過する前であっても、「防水モード」がオフされた場合はエアカーテンの送風を停止させる。このため、上述したステップＳ１９を否定判定して進むステップＳ２５において、制御回路１０５は、「防水モード」がオフされたか否かを判定する。制御回路１０５は、「防水モード」がオフされた場合にステップＳ２５を肯定判定してステップＳ２６へ進む。制御回路１０５は、「防水モード」がオフされていない場合はステップＳ２５を否定判定し、ステップＳ１９へ戻る。ステップＳ２６において、制御回路１０５は、ファン１０７の回転を停止させて図５による処理を終了する。
【００３５】
以上説明した第一の実施形態によれば、次の作用効果が得られる。
（１）カメラボディ１は、交換レンズ２を装着するマウント１２と、交換レンズ２の未装着時にマウント１２への水滴の侵入を阻止する空気を吹き出す吹き出し孔１０ａと、吹き出し孔１０ａからの空気の吹き出しをオン／オフさせる制御回路１０５と、を備えるようにしたので、カメラボディ１内やマウント１２を水滴から保護できる。
【００３６】
（２）上記（１）のカメラボディ１において、制御回路１０５は、交換レンズ２の取り外し用のレンズロック解除ボタン１４が操作された状態で空気の吹き出しをオンさせ、レンズロック解除ボタン１４の操作状態が解除されると空気の吹き出しをオフさせるので、交換レンズ２が外され、マウント１２内へ水滴や埃などの異物が侵入するおそれがある状態でオン、交換レンズ２が装着され、マウント１２内へ異物が侵入するおそれがない状態でオフというように、空気の吹き出しを適切に制御できる。
【００３７】
（３）上記（２）のカメラボディ１において、カメラボディ１を振動させる振動発生器１０８と、レンズロック解除ボタン１４が操作された状態で振動発生器１０８による振動をオンさせ、レンズロック解除ボタン１４の操作状態が解除されると振動発生器１０８による振動をオフさせる制御回路１０５と、をさらに備えるので、マウント１２内へ水滴が侵入するおそれがある状態において付着した水滴をふるい落とす振動をオン、マウント１２内へ水滴が侵入するおそれがない状態では振動をオフというように、振動の発生を適切に制御できる。また、撮像素子１０２や接点群１３などを、付着した水滴から保護できる。
【００３８】
（４）上記カメラボディ１において、制御回路１０５はさらに、レリーズボタンが半押し操作されると空気の吹き出しをオンさせ、半押し操作の解除後所定時間が経過すると空気の吹き出しをオフさせるようにした。レンズ面に水滴が付着するおそれがある場合には、付着した水滴を吹き飛ばすので、レンズ面を付着した水滴から保護できる。加えて、レリーズボタンが半押し操作された場合は空気の吹き出しのみを行って振動を発生させないので、振動による撮影時のブレ発生が抑えられる。
【００３９】
（５）上記カメラボディ１において、交換レンズ２がマウント１２に装着されている時、吹き出し孔１０ａから交換レンズ２へ空気を供給するようにしたので、カメラボディ１の送風源であるファン１０７を、交換レンズ２の吹き出し口２０ａから空気を吹き出す場合の送風源としても共用できる。
【００４０】
（６）交換レンズ２は、カメラボディ１のマウント１２と嵌合するマウント２２と、レンズ面に向けて空気を吹き出す空気吹き出し孔２０ａと、カメラボディ１から供給される空気を吹き出し孔２０ａへ導く流路２０と、を備えるので、レンズ面を水滴や埃などから保護できる。
【００４１】
（７）上記（６）の交換レンズ２において、交換レンズ２を振動させる振動発生器２０８をさらに備えるようにしたので、交換レンズ２をカメラボディ１に装着する前において、仮にレンズ面に水滴が付着したとしても、これをふるい落としてレンズ面を保護できる。
【００４２】
（変形例１）
上述した説明では、レンズロック解除ボタン１４が押下されてからレンズロック解除ボタン１４が復帰するまで、エアカーテンの送風を行うとともに振動発生器１０８による振動を発生させる例を説明した。この代わりに、エアカーテンの送風と、振動発生器１０８による振動のうち、エアカーテンの送風のみを行うように構成してもよい。エアカーテンの送風のみを行う場合は、振動発生器１０８を省略してもよい。
【００４３】
（変形例２）
変形例１と異なり、エアカーテンの送風と、振動発生器１０８による振動のうち、振動発生器１０８による振動のみを行うように構成してもよい。
【００４４】
（変形例３）
上記実施形態では、操作部材１０１を構成する「防水モード」設定／解除スイッチからの操作信号に応じて「防水モード」の設定／解除を切り替える例を説明した。この代わりに、カメラボディ１に湿度センサを設け、検出湿度が所定湿度以上の場合に自動的に「防水モード」に設定するように構成してもよい。
【００４５】
（変形例４）
レンズフードの中にファンを設けてもよい。図６は、変形例３によるレンズフード５の側面図である。レンズフード５は、ファン１０７Ｂ、および図示しない送風オン／オフスイッチを有しており、図示しない電池が装填される。ファン１０７Ｂは、送風オン／オフスイッチ操作に応じて送風を開始／停止する。仮に、エアカーテンの送風に対応していない（鏡胴に空気の流路を備えていない）交換レンズ２Ｂの撮影光学系２１Ｂに水滴がつくおそれのある場合には、交換レンズ２Ｂに装着したレンズフード５のファン１０７Ｂを回転させておく。
【００４６】
ファン１０７Ｂが回転すると、空気をレンズフード５内に取り込んで吹き出し孔５０ａから吹き出す。吹き出し孔５０ａから空気を吹き出す方向は、交換レンズ２Ｂの撮影光学系２１Ｂの表面に付着した水滴や埃を吹き飛ばす向きである。なお、レンズフード５の吸気口（不図示）には、水滴を通さずに通気するフィルタを設けている。
【００４７】
（変形例５）
エアカーテン用に空気を取り込む吸気口１１は、録音用のマイクの集音口と兼用させてもよい。ただし、録音時には空気の取り込み（すなわち空気の吹き出し）を停止させる。
【００４８】
（変形例６）
振動発生器１０８の位置は、カメラボディ１の底部の代わりに側部に設けてもよいし、底部および側部の両方に設けてもよい。
【００４９】
（第二の実施形態）
カメラボディ１および交換レンズ２間の距離に基づいてカメラボディ１の振動／停止を切り替えるように構成してもよい。例えば、交換レンズ２を装着する前にカメラボディ１を振動させて水滴をふるい落とし、交換レンズ２を装着する直前には振動を停止して装着時の音鳴り（カメラボディ１と交換レンズ２のマウント同士が振動によって接触／非接触を繰り返して音を出す状態）を防止する。図７は、本発明の第二の実施形態によるカメラボディ１の制御回路１０５がレンズやカメラボディ内部を水滴から保護するために行う処理の流れを説明するフローチャートである。
【００５０】
制御回路１０５は、「防水モード」がオンされると図７による処理を起動する。なお、図７による処理は、図５のフローチャートにおけるステップＳ１３、Ｓ１６、およびＳ２４をスキップさせた上で、図５による処理と並行して実行するので、エアカーテンの送風については第一実施形態と同様に制御する。
【００５１】
図７のステップＳ５１において、制御回路１０５は、距離検出部１１０からの検出信号に基づいて、カメラボディ１と交換レンズ２との間の距離が第１距離（たとえば５cm）以下か否かを判定する。制御回路１０５は、第１距離以下の場合にステップＳ５１を肯定判定してステップＳ５２へ進み、第１距離以下でない場合には、ステップＳ５１を否定判定してステップＳ５５へ進む。ステップＳ５２へ進む場合は、ただちに水滴をふるい落とす場合である。ステップＳ５５へ進む場合は、水滴をふるい落とすタイミングを先延ばしする場合である。
【００５２】
ステップＳ５２において、制御回路１０５は、振動発生器１０８に振動を発生させる。制御回路１０５は、カメラボディ１に振動発生を開始させるとステップＳ５３へ進む。ステップＳ５３において、制御回路１０５は、距離検出部１１０からの検出信号に基づいて、カメラボディ１と交換レンズ２との間の距離が第２距離（たとえば５mm）以下か否かを判定する。制御回路１０５は、第２距離以下の場合にステップＳ５３を肯定判定してステップＳ５４へ進み、第２距離以下でない場合には、ステップＳ５３を否定判定してステップＳ５６へ進む。
【００５３】
ステップＳ５４へ進む場合は、交換レンズ２の装着に備えて振動を停止させる場合である。制御回路１０５は、ステップＳ５４において振動発生器１０８の振動を停止させてステップＳ５５へ進む。
【００５４】
ステップＳ５５において、制御回路１０５は、「防水モード」がオフされたか否かを判定する。制御回路１０５は、「防水モード」がオフされた場合にステップＳ５５を肯定判定して図７による処理を終了する。制御回路１０５は、「防水モード」がオフされていない場合にステップＳ５５を否定判定し、ステップＳ５１へ戻る。ステップＳ５１へ戻る場合の制御回路１０５は、上述した処理を繰り返す。
【００５５】
上記ステップＳ５３を否定判定してステップＳ５６において、制御回路１０５は、カメラボディ１と交換レンズ２との間の距離が第１距離以下か否かを判定する。制御回路１０５は、第１距離以下の場合にステップＳ５６を肯定判定してステップＳ５３へ戻る。この場合は、水滴をふるい落としながら交換レンズ２の装着を待つ。制御回路１０５は、第１距離以下でない場合には、ステップＳ５６を否定判定してステップＳ５４へ進む。ステップＳ５４へ進む場合は、交換レンズ２がカメラボディ１から遠ざけられた場合である。この場合も振動を停止させる。
【００５６】
以上説明した第二の実施形態によれば、次の作用効果が得られる。
（１）カメラボディ１は、交換レンズ２を装着するマウント１２と、交換レンズ２の未装着時にマウント１２への水滴の侵入を阻止する空気を吹き出す吹き出し孔１０ａと、吹き出し孔１０ａからの空気の吹き出しをオン／オフさせる制御回路１０５と、を備えるようにしたので、カメラボディ１内やマウント１２を水滴から保護できる。
【００５７】
（２）上記カメラボディ１において、未装着の交換レンズ２との間の距離を検出する距離検出部１１０をさらに備え、制御回路１０５は、距離検出部１１０により検出された距離が５cmより短くなると振動発生器１０８による振動をオンさせ、検出された距離が５cmより短い５mmより短くなると振動発生器１０８による振動をオフさせる。これにより、カメラボディ１と交換レンズ２のマウント同士が振動によって接触／非接触を繰り返して音を出す状態を防止できる。
【００５８】
（変形例７）
カメラボディ１による水滴をふるい落とすための振動開始に合わせて、交換レンズ２においても自動的に振動を開始させてもよい。変形例７のカメラボディ１の通信回路１０９および交換レンズ２の通信回路２１０は、それぞれが無線通信も可能に構成される。そして、変形例７の制御回路１０５は、図７のステップＳ５２において、カメラボディ１の振動発生器１０８に振動を発生させるとともに、通信回路１０９を介して無線通信で交換レンズ２に対して振動発生開始を指示する。これにより、交換レンズ２の制御回路２１０が振動発生器２０８に振動を発生させるので、交換レンズ２側においてレンズ面を付着した水滴から保護できる。
【００５９】
変形例７の制御回路１０５は、図７のステップＳ５４において、カメラボディ１の振動発生器１０８による振動を停止させるとともに、通信回路１０９を介して無線通信で交換レンズ２に対して振動発生停止を指示する。これにより、交換レンズ２の制御回路２１０が振動発生器２０８に振動を停止させる。
【００６０】
以上の説明はあくまで一例であり、上記の実施形態の構成に何ら限定されるものではない。各実施形態および変形例は、適宜組み合わせて構成してもよい。
【符号の説明】
【００６１】
１…カメラボディ
２、２Ｂ…交換レンズ
５…レンズフード
１０、２０、５０…流路
１０ａ、２０ａ、５０ａ…吹き出し孔
１１…吸気口
１２、２２…マウント
１３…接点群
１４…レンズロック解除ボタン
２１、２１Ｂ…撮影光学系
１０１…操作部材
１０２…撮像素子
１０５、２１０…制御回路
１０７、１０７Ｂ…ファン
１０８、２０８…振動発生器
１０９、２０９…通信回路
【図１】
2014109713.tif 000003
【図２】
2014109713.tif 000004
【図３】
2014109713.tif 000005
【図４】
2014109713.tif 000006
【図５】
2014109713.tif 000007
【図６】
2014109713.tif 000008
【図７】
2014109713.tif 000009